(57)【要約】  【課題】  二酸化炭素を冷媒とする一般的な冷媒回路では、冷媒回路に直列に挿入された乾燥器で脱水すると、吸水効果もほとんどなく、乾燥用の合成ゼオライトの破損の怖れも大きいことが知られている。つまり、二酸化炭素を冷媒とする冷媒回路では、乾燥器を用いず、水分補足剤を添加することが知られている。本発明は、二酸化炭素冷媒の場合の効率的な水分吸着と、地球温暖化やオゾン層の破壊を起こす要因の少ない冷凍装置を提供するものである。  【解決手段】  圧縮機で二段階圧縮された二酸化炭素冷媒が、放熱器、ドライヤ、キャピラリチューブ、電動式膨張弁、冷却庫内を冷却するための蒸発器を順次通って前記圧縮機の一段圧縮部へ帰還する冷媒回路を構成し、前記ドライヤの乾燥剤は実質的に前記冷媒回路中の水分除去はするが二酸化炭素を吸着しないモレキュラーシーブである。【選択図】  図４
2006029643.tif 000002
【特許請求の範囲】
【請求項１】
圧縮機で二段階圧縮された二酸化炭素冷媒が、放熱器、ドライヤ、キャピラリチューブ
、電動式膨張弁、冷却庫内を冷却するための蒸発器を順次通って前記圧縮機の一段圧縮部
へ帰還する冷媒回路を構成し、前記ドライヤの乾燥剤として実質的に前記冷媒回路中の水
分除去はするが二酸化炭素を吸着しないモレキュラーシーブを収納したことを特徴とする
冷凍冷蔵庫用冷凍装置。
【請求項２】
圧縮機で二段階圧縮された二酸化炭素冷媒が、放熱器、ドライヤ、第１キャピラリチュ
ーブ、第１電動式膨張弁、気液分離器、第２キャピラリチューブ、第２電動式膨張弁、冷
却庫内を冷却するための蒸発器を順次通って前記圧縮機の一段目圧縮部へ帰還する第１冷
媒路と、前記気液分離器で分離された冷媒ガスを前記圧縮機の二段目圧縮部へ導入する第
２冷媒路を構成し、前記ドライヤの乾燥剤として実質的に前記第１、第２冷媒路からなる
冷媒回路中の水分除去はするが二酸化炭素を吸着しないモレキュラーシーブを収納したこ
とを特徴とする冷凍冷蔵庫用冷凍装置。
【請求項３】
圧縮機で二段階圧縮された二酸化炭素冷媒が、放熱器、ドライヤ、第１キャピラリチュ
ーブ、第１電動式膨張弁、気液分離器を経て、冷蔵室用キャピラリチューブから第２電動
式膨張弁を通って冷蔵室用蒸発器へ流れる通路と、冷凍室用キャピラリチューブから第３
電動式膨張弁を通って冷凍室用蒸発器へ流れる通路との並列回路を経て前記圧縮機の一段
圧縮部へ帰還する冷媒回路を構成し、前記ドライヤの乾燥剤として実質的に前記冷媒回路
中の水分除去はするが二酸化炭素を吸着しないモレキュラーシーブを収納したことを特徴
とする冷凍冷蔵庫用冷凍装置。
【発明の詳細な説明】
【技術分野】
【０００１】
本発明は、二酸化炭素冷媒を使用した冷凍冷蔵庫用冷凍装置に関する。
【背景技術】
【０００２】
圧縮機、放熱器、膨張機構及び蒸発器を含む冷凍回路に冷媒として二酸化炭素を循環さ
せる冷凍装置において、圧縮機に用いる冷凍機油に特定のものを使用し、冷凍回路中の水
分を捕捉するための乾燥装置の乾燥剤として合成ゼオライトを使用したものがある（例え
ば、特許文献１参照）。
【０００３】
また、冷媒の流路を四方弁の切り替えによって冷房運転と暖房運転とに切り替える業務
用空気調和機に関する冷媒回路において、室外熱交換器とキャピラリチューブの間に、水
分除去のためにモレキュラーシーブスを収納したドライヤを接続し、このドライヤの振動
を抑えてモレキュラーシーブスの粉化を抑えるものがある（例えば、特許文献２参照）。
【特許文献１】特開２００１−２５５０４３号公報
【特許文献２】特開２００１−１４１３４１号公報
【発明の開示】
【発明が解決しようとする課題】
【０００４】
二酸化炭素を冷媒とする一般的な冷媒回路では、冷媒回路に直列に挿入された乾燥器で
脱水すると、吸水効果もほとんどなく、乾燥用の合成ゼオライトの破損の怖れも大きいこ
とが知られている。つまり、二酸化炭素を冷媒とする冷媒回路では、乾燥器を用いず、水
分補足剤を添加することが知られている。
【課題を解決するための手段】
【０００５】
第１発明の冷凍装置は、圧縮機で二段階圧縮された二酸化炭素冷媒が、放熱器、ドライ
ヤ、キャピラリチューブ、電動式膨張弁、冷却庫内を冷却するための蒸発器を順次通って
前記圧縮機の一段圧縮部へ帰還する冷媒回路を構成し、前記ドライヤの乾燥剤として実質
的に前記冷媒回路中の水分除去はするが二酸化炭素を吸着しないモレキュラーシーブを収
納したことを特徴とする。
【０００６】
第２発明の冷凍装置は、圧縮機で二段階圧縮された二酸化炭素冷媒が、放熱器、ドライ
ヤ、第１キャピラリチューブ、第１電動式膨張弁、気液分離器、第２キャピラリチューブ
、第２電動式膨張弁、冷却庫内を冷却するための蒸発器を順次通って前記圧縮機の一段目
圧縮部へ帰還する第１冷媒路と、前記気液分離器で分離された冷媒ガスを前記圧縮機の二
段目圧縮部へ導入する第２冷媒路を構成し、前記ドライヤの乾燥剤として実質的に前記第
１、第２冷媒路からなる冷媒回路中の水分除去はするが二酸化炭素を吸着しないモレキュ
ラーシーブを収納したことを特徴とする。
【０００７】
第３発明の冷凍装置は、圧縮機で二段階圧縮された二酸化炭素冷媒が、放熱器、ドライ
ヤ、第１キャピラリチューブ、第１電動式膨張弁、気液分離器を経て、冷蔵室用キャピラ
リチューブから第２電動式膨張弁を通って冷蔵室用蒸発器へ流れる通路と、冷凍室用キャ
ピラリチューブから第３電動式膨張弁を通って冷凍室用蒸発器へ流れる通路との並列回路
を経て前記圧縮機の一段圧縮部へ帰還する冷媒回路を構成し、前記ドライヤの乾燥剤とし
て実質的に前記冷媒回路中の水分除去はするが二酸化炭素を吸着しないモレキュラーシー
ブを収納したことを特徴とする。
【発明の効果】
【０００８】
第１の発明によって、二酸化炭素冷媒を循環させることにより地球温暖化やオゾン層の
破壊を起こす要因の少ない冷凍装置を提供でき、その場合、ドライヤによって実質的にそ
の冷媒回路中の水分除去はするが二酸化炭素を吸着しないため、冷媒回路中の水分による
悪影響が除去でき、安定した圧縮機の能力を得ることができる。そして、二酸化炭素の吸
着がドライヤによって生じた場合は、循環する冷媒量が減少するが、本発明ではそれがな
いため、所期の冷凍能力を発揮できるものとなる。
【０００９】
第２の発明は、第１の発明の効果に加えて、気液分離器で分離したガス冷媒が圧縮機の
二段目圧縮部によって圧縮されて放熱器へ流入するため、冷凍装置の冷却能力が向上し、
効果的な冷却が得られる冷凍冷蔵庫となる。
【００１０】
第３の発明は、第１の発明の効果に加えて、冷凍室と冷蔵室を夫々別個の蒸発器で冷却
する方式の冷凍冷蔵庫として効果的である。
【発明を実施するための最良の形態】
【００１１】
本発明は冷凍冷蔵庫用冷凍装置であり、二段階圧縮された二酸化炭素冷媒が、放熱器、
ドライヤ、キャピラリチューブ、冷却庫内を冷却するための蒸発器を順次通って前記圧縮
機の一段圧縮部へ帰還する冷媒回路を構成し、前記ドライヤの乾燥剤として実質的に前記
冷媒回路中の水分除去はするが二酸化炭素を吸着しないモレキュラーシーブを収納したこ
とを特徴とする。本発明の実施例を以下に記載する。
【実施例１】
【００１２】
次に、本発明の実施の形態について説明する。図１は本発明に係る冷凍冷蔵庫の正面図
、図２は本発明に係る冷凍冷蔵庫本体を正面から見た説明図、図３は本発明に係る冷凍冷
蔵庫の縦断側面図、図４は本発明に係る冷凍装置をブロックで示す構成図、図５は本発明
に係る冷凍装置の冷媒回路配管の説明図である。
【００１３】
次に、本発明の実施の形態について説明する。１は本発明の冷却貯蔵庫の一つである冷
凍冷蔵庫であり、全面開口の本体２内を区画して複数の貯蔵室を形成し、これら各貯蔵室
の前面は扉で開閉できる構成である。冷凍冷蔵庫本体２は、外箱（外壁板）２Ａと内箱（
内壁板）２Ｂとの間に発泡断熱材２Ｃを充填した断熱構造である。冷凍冷蔵庫本体２内に
は、上から冷蔵室３、野菜室４、冷凍室５（上冷凍室６Ａと下冷凍室６Ｂと製氷室７から
なる）が区画形成され、上冷凍室６Ａに併設して製氷室７が区画形成され、冷蔵室３内の
底部にはその上方の冷蔵室３と区画板（区画壁）８にて区画された特定低温室９が設けら
れている。
【００１４】
冷蔵室３の前面開口は、冷凍冷蔵庫本体２の一側部にヒンジ装置にて横方向に回動して
開閉される回動式の冷蔵室扉１０にて閉塞される。冷蔵室３内には冷蔵室３の側壁に形成
した棚受け４２に載置した複数段の棚４１が設けられている。野菜室４の前面開口は、野
菜室４内に設けた左右のレールとローラによる支持装置２１によって前後方向へ引き出し
可能に支持した上面開口の野菜容器１５と共に前方へ引き出される引き出し式扉１１にて
閉塞されている。上冷凍室６Ａと下冷凍室６Ｂはそれぞれ野菜室４と同様に、冷凍室内に
設けた左右のレールに対して、それぞれ前後方向へ引き出し可能に支持した容器１６、１
７と共に前方へ引き出される引き出し式扉１２、１３にて閉塞されている。
【００１５】
製氷室７内には自動製氷機１８と貯氷箱１９が設けられ、特定低温室９に併設された冷
蔵室３内の小室には、この自動製氷機１８へ供給する製氷用水を貯める給水容器２０が収
納されている。製氷用水は給水容器２０からポンプ６０によって吸い上げられて給水パイ
プ６１を介して自動製氷機１８の製氷皿２２へ供給される。
【００１６】
冷蔵室扉１０は、外板１０Ａと内板１０Ｂとの間に発泡性断熱材１０Ｃが充填された断
熱構造をなし、内板１０Ｂの左右両側部には内板１０Ｂと一体成形にて又は別部材にて縦
方向に延びた側壁１０Ｄ、１０Ｅが形成されている。側壁１０Ｄ、１０Ｅ間には、複数段
にポケットと称する物品載置棚３８、３８Ａ、３８Ｂ、３８Ｃ、３８Ｄが形成され、その
中の一つ又は複数に小袋入り調味料４５を立てて収納する収納部４６を形成している。
【００１７】
２４は冷凍装置の冷媒を圧縮する電動圧縮機、２５は冷凍装置の冷媒の放熱器である。
２６は放熱器２５Ｃの熱によって後述の除霜水を蒸発させるための蒸発皿であり、放熱器
２５Ｃ上に載置して冷蔵庫本体２の前面下部から引き出し自在である。圧縮機２４、放熱
器２５Ｃ、蒸発皿２６は、冷蔵庫本体２の下部に設けた機械室２８に設置されている。２
９、３０は冷凍装置の冷媒の蒸発器（冷却器）である。３１は冷凍室用冷却器である第１
蒸発器（冷却器）２９で冷却した冷気を上冷凍室６Ａ、下冷凍室６Ｂ及び製氷室７へ循環
する第１送風機である。３２は冷蔵室用冷却器である第２蒸発器（冷却器）３０で冷却し
た冷気を冷蔵室３、野菜室４及び特定低温室９へ循環する第２送風機である。３３は第１
蒸発器（冷却器）２９の除霜用ガラス管ヒータ、３４は、第２蒸発器（冷却器）３０の除
霜用ガラス管ヒータである。第１蒸発器（冷却器）２９及び第２蒸発器（冷却器）３０の
除霜水は排水管を通って蒸発皿２６へ導かれてそこで蒸発する。
【００１８】
冷凍装置は図４と図５に示す。冷媒には二酸化炭素冷媒を使用している。圧縮機２４は
、冷媒を一段目の圧縮部２４Ａと二段目の圧縮部２４Ｂによって二段階圧縮するように、
密閉容器内において電動機（モータ）によってそれぞれ回転するロータを備えた公知の２
シリンダの回転式圧縮機（ロータリ圧縮機という）であり、一段目の圧縮部２４Ａと二段
目の圧縮部２４Ｂを構成するが、冷媒を二段階圧縮する他の形態でもよい。
【００１９】
２５Ａ〜２５Ｅまでが冷媒の放熱器２５を構成しており、これらは空冷式であり、放熱
器２５Ａはプレート式で構成された初段放熱器であり、機械室２８内において送風機８１
からの風によって熱交換される。放熱器２５Ｂは冷媒パイプ（チューブ）の周りに多数の
フィンが取り付けられたフィンチューブ式で構成されたメイン放熱器であり、機械室２８
内において送風機８１からの風によって熱交換されるように、送風機８１と共にフレーム
で囲まれたユニット構成である。放熱器２５Ｃは蒸発皿２６を載置する金属板の裏面に冷
媒パイプが蛇行状に配置された構成である。放熱器２５Ｄは、冷凍冷蔵庫本体２の外箱（
外壁板）２Ａを放熱板とするように、外箱（外壁板）２Ａの発泡断熱材２Ｃ側の面に取り
付けた冷媒パイプである。
【００２０】
放熱器２５Ｅは冷凍冷蔵庫本体２の前面開口部の露着きを防止する露着き防止放熱器で
あり、外箱（外壁板）２Ａを加温するように外箱（外壁板）２Ａの発泡断熱材２Ｃ側の面
に取り付けた冷媒パイプであり、冷蔵室３と野菜室４との間の仕切り壁５２の前面を加温
する冷媒パイプ２５Ｅ１と、野菜室４と上冷凍室６Ａとの間の仕切り壁の前面を加温する
冷媒パイプ２５Ｅ２と、上冷凍室６Ａと下冷凍室６Ｂとの間の仕切り壁の前面を加温する
冷媒パイプ２５Ｅ３を一連のパイプの屈曲によって形成している。
【００２１】
７０は乾燥器であるドライヤ、７１は気液分離器である。７２、７３、７４は電動式膨
張弁であり、７５、７６、７７はキャピラリチューブであり、電動式膨張弁とキャピラリ
チューブの一対によってそれぞれの減圧装置を構成している。７８、７９、８０は逆止弁
である。図４において肉太の矢印は冷媒の流れ方向を示しており、図５の矢印も冷媒の流
れ方向を示している。
【００２２】
図４に示すこのような冷凍回路において、二酸化炭素冷媒が冷凍回路の高圧側において
超臨界域で状態変化する場合は液化しないことがあり、減圧装置による減圧率を大きくす
る必要があるが、１個の電動式膨張弁では十分な減圧が得られない。また、上記のように
放熱器２５が空冷方式である場合は、その周囲温度が高い状況では冷媒圧力が高くなり、
減圧装置としてキャピラリチューブだけで所定の圧力まで減圧しようとすれば、ロスが大
きくなりすぎる。このため、二酸化炭素冷媒が冷凍回路の高圧側において超臨界域で状態
変化する場合にも、適正な減圧効果が得られるように、減圧装置としてキャピラリチュー
ブとその下流に電動式膨張弁を配置した構成としている。これによって、冷媒が超臨界域
で状態変化する場合は、キャピラリチューブにおいて超臨界域での冷媒の膨張過程が行わ
れ、電動式膨張弁において気液二相域での冷媒の膨張が行われるようにしている。
【００２３】
このような冷凍回路において、圧縮機２４の一段目の圧縮部２４Ａで圧縮された高温高
圧の冷媒ガスは、放熱器２５Ａで放熱されて圧縮機２４の二段目の圧縮部２４Ｂで圧縮さ
れる。二段目の圧縮部２４Ｂで圧縮された高温高圧の冷媒ガスは、放熱器２５Ｂにおいて
送風機８１からの空気によって冷却されて超臨界域で状態変化しながら冷媒温度が低下し
、この冷媒は更に放熱器２５Ｃ、２５Ｄを経て冷凍冷蔵庫１の周囲温度より若干高めの温
度まで低下する。そして、放熱器２５Ｅへ流入した冷媒によって、冷凍冷蔵庫本体２の前
面開口部が加温され、その部分への露付きを防止するように作用する。
【００２４】
放熱器２５Ｅを出た冷媒は、ドライヤ７０を通って減圧装置であるキャピラリチューブ
７５と電動式膨張弁７２を通って減圧され温度が低下し、気液分離器７１へ流入する。こ
の場合、冷媒が超臨界域で状態変化する場合は、キャピラリチューブ７５において超臨界
域での冷媒の膨張過程が行われ、電動式膨張弁７２において気液二相域での冷媒の膨張が
行われる。電動式膨張弁７２を出た低温冷媒は気液分離器７１へ流入し、気液分離器７１
で分離されたガス冷媒は、逆止弁７８を通って二段目の圧縮部２４Ｂの吸い込み側へ流入
して圧縮されるよう冷媒回路が形成されている。
【００２５】
気液分離器７１で分離された液冷媒は二分され、一方が減圧装置であるキャピラリチュ
ーブ７６と電動式膨張弁７３を通って減圧され温度が低下し、第１蒸発器（冷却器）２９
へ流入する。また、他方が減圧装置であるキャピラリチューブ７７と電動式膨張弁７４を
通って減圧され温度が低下し、第２蒸発器（冷却器）３０へ流入する。第１蒸発器（冷却
器）２９と第２蒸発器（冷却器）３０へ流入した液冷媒は、そこで蒸発して周囲の空気を
冷却する。第１蒸発器（冷却器）２９で蒸発したガス冷媒は、逆止弁７９を通って圧縮機
２４の一段目の圧縮部２４Ａの吸い込み側へ流入して圧縮される。また、第２蒸発器（冷
却器）３０で蒸発したガス冷媒は、圧縮機２４の一段目の圧縮部２４Ａの吸い込み側へ流
入して圧縮される。このような冷凍サイクルによって第１蒸発器（冷却器）２９と第２蒸
発器（冷却器）３０が冷却され、それによって後述のように冷凍冷蔵庫本体２内の各室が
冷却される。
【００２６】
上記の冷凍装置において、電動式膨張弁７２は、制御信号によって正転と逆転の動作を
するステッピングモータによってその弁開度が調節されるものであり、放熱器２５の出口
温度に応じて制御回路装置（図示せず）に設定したデータに基づき、前記ステッピングモ
ータが正転又は逆転して弁開度が調節され、適正な冷媒膨張が行われるように制御する。
【００２７】
また、電動式膨張弁７３は、制御信号によって正転と逆転の動作をするステッピングモ
ータによってその弁開度が調節されるものであり、蒸発器（冷却器）２９の出口温度に応
じて前記制御回路装置（図示せず）に設定したデータに基づき、前記ステッピングモータ
が正転又は逆転して弁開度が調節され、適正な冷媒膨張が行われるように制御する。
【００２８】
３５は第２蒸発器（冷却器）３０で冷却された冷気が第２送風機３２から導かれる冷気
ダクトであり、冷蔵室３の上壁４５上に幅広く配置されその前端は冷蔵室３の前面開口部
の上面に形成した冷気吹き出し口３６へ連通している。この冷気吹き出し口３６から吹き
出す冷気は、冷蔵室３の前面開口部を矢印のように上から下へ流れる冷気カーテン３７を
形成する。第１蒸発器（冷却器）２９で冷却した冷気と第２蒸発器（冷却器）３０で冷却
した冷気は、夫々第１送風機３１及び第２送風機３２によって矢印のように循環して各室
を所定温度に冷却する。
【００２９】
第２蒸発器（冷却器）３０で冷却した冷気を第２送風機３２によって冷蔵室３と野菜室
４とに循環させる冷気循環経路の形成に関し、冷蔵室３の背面部には左右両側に冷気通路
４３Ａ、４３Ｂを形成し、この左右配置の冷気通路４３Ａ、４３Ｂ間には第２蒸発器（冷
却器）３０の下側へ連通した冷気帰還通路４４が形成されている。
【００３０】
第２蒸発器（冷却器）３０で冷却した冷気は、第２送風機３２によって冷蔵室３と野菜
室４とに循環される。その経路は、第２送風機３２を通過した冷気は、一部が冷気ダクト
３５を通って冷気吹き出し口３６から吹き出す。第２送風機３２を通過した冷気の他の部
分は、冷蔵室３の背面板４０の裏側の左右の冷気通路４３Ａ、４３Ｂを通って、冷蔵室３
の背面板４０に形成した冷気吹き出し口３９から冷蔵室３へ吹き出し、冷気通路４３Ａ、
４３Ｂを更に下方へ流れつつ一部分の冷気が冷気吹き出し口３９Ａから特定低温室９へ吹
き出す。
【００３１】
左右の冷気通路４３Ａ、４３Ｂを更に下方へ流れた冷気は、冷気出口５０から冷蔵室３
と野菜室４との間に形成した冷気通路５１へ供給される。冷気通路５１は、冷蔵室３と野
菜室４との間の仕切り壁５２と野菜室４の天井板５３との間に形成される。仕切り壁５２
は冷蔵室３の底壁を構成しており、野菜室４の天井板５３は、野菜容器１５の上面開口を
略塞ぐ位置に配置されており、野菜室４から前方へ取り外し可能なるよう、野菜室４の左
右壁及び又は仕切り壁５２に支持している。冷蔵室３と特定低温室９を冷却した冷気の冷
気の一部は、仕切り壁５２に形成した吸い込み口５６から冷気通路５１へ流入する。野菜
容器１５は前方へ引き出し自在であるため、野菜容器１５は野菜室４内へ収納されたとき
、野菜室４の天井板５３によって野菜容器１５の上面開口は天井板５３によって覆われた
状態である。
【００３２】
冷気通路５１へ供給された冷気は、冷気通路５１を前方へ流れて前端の出口５４から野
菜室４へ流下し、野菜容器１５と扉１１との間に形成された空間から野菜容器１５の周囲
に形成された空間を通って、野菜室４の背面に形成した冷気吸い込み口５５から吸い込ま
れる。
【００３３】
冷蔵室３の裏側の左右冷気通路４３Ａ、４３Ｂの間には、背面板４０と本体２との間に
冷気帰還通路４４が形成されているため、野菜室４の冷気は冷気吸い込み口５５から吸い
込まれて冷気帰還通路４４へ流れ、第２蒸発器（冷却器）３０の下側へ流入して、再び第
２蒸発器（冷却器）３０によって冷却される循環をする。
【００３４】
このような構成において、各室の温度は、冷蔵室３が約３〜４℃、野菜室４が約３〜６
℃に保たれ、冷凍室５、即ち上冷凍室６Ａと下冷凍室６Ｂと、更に製氷室７が約−１８℃
〜−２０℃である。また、冷蔵室扉１０の内側に設けた貯蔵棚３８上は５〜８℃である。
特定低温室９は、０℃よりも高い約１℃のチルド室であったり、０℃よりも低く食品の凍
結温度よりも高い約０〜−１℃の氷温室であったり、また、食品の表面に薄い氷の層が形
成される程度の約−４℃の部分凍結室であったりする。このように特定低温室９は、食品
を特定の温度領域内で冷却保存するためのものであり、他の室に比して厳しい温度制御が
要求される。
【００３５】
このように、本発明の冷凍装置は、圧縮機２４で二段階圧縮された二酸化炭素冷媒が、
放熱器２５、ドライヤ７０、第１キャピラリチューブ７５、第１電動式膨張弁７２、気液
分離器７１を経て、冷蔵室用キャピラリチューブ７７、電動式膨張弁７４とから冷蔵室用
蒸発器３０へ流れる通路と、冷凍室用キャピラリチューブ７６、電動式膨張弁７３から冷
凍室用蒸発器２９へ流れる通路との並列回路を経て圧縮機２４の一段圧縮部２４Ａへ帰還
する冷媒回路を構成している。
【００３６】
二酸化炭素冷媒を高圧で圧縮する圧縮機２４内では、二酸化炭素が超臨界状態になるこ
とがある。二酸化炭素が超臨界状態にある場合にも、実質的に物理的、化学的な悪影響が
冷凍装置の各部に生じないような材料と潤滑オイルが使用されている。
【００３７】
このように冷媒回路には二酸化炭素冷媒を使用しており、冷媒回路中の水分を吸着によ
って除去するために、ドライヤ７０にはその入口側と出口側に夫々設けたフィルタの間に
乾燥剤としてモレキュラーシーブを収納している。このモレキュラーシーブは、実質的に
冷媒回路中の水分除去はするが二酸化炭素を吸着しない特性を有しており、これによって
、循環する二酸化炭素が不足して冷却能力が低下することが防止される。
【実施例２】
【００３８】
また、本発明では、もう一つの実施例として、冷凍冷蔵庫本体２内の各室が単一の蒸発
器（冷却器）によって冷却するように構成することもできる。この場合、上記の各図にお
いて、第１蒸発器（冷却器）２９で冷却した冷気を第１送風機３１によって冷蔵室３、野
菜室４、冷凍室５へ冷気が循環するように構成することができる。この場合の冷凍装置の
冷媒回路としては、圧縮機２４で二段階圧縮された二酸化炭素冷媒が、放熱器２５、ドラ
イヤ７０、第１キャピラリチューブ７５、第１電動式膨張弁７２、気液分離器７１、第２
キャピラリチューブ７６、第２電動式膨張弁７３、冷却庫内を冷却するための蒸発器３１
を順次通って圧縮機２４の一段目圧縮部２４Ａへ帰還する第１冷媒回路と、気液分離器７
１で分離された冷媒ガスを圧縮機２４の二段目圧縮部２４Ｂへ導入する第２冷媒回路を構
成する。
【００３９】
このような冷凍装置においても、ドライヤ７０の乾燥剤としては、実質的に前記冷媒回
路中の水分除去はするが二酸化炭素を吸着しないモレキュラーシーブを収納した構成とす
る。
【００４０】
このため、上記実施例１および２をも含めた共通の本発明の基本構成は、圧縮機２４で
二段階圧縮された二酸化炭素冷媒が、放熱器２５で凝縮し、ドライヤ７０にて水分を除去
された後、減圧装置としてのキャピラリチューブと電動式膨張弁を順次通って冷却庫内を
冷却するための蒸発器へ入り、この蒸発器を出た冷媒が圧縮機２４の一段圧縮部２４Ａへ
帰還する冷媒回路を構成し、前記ドライヤの乾燥剤として実質的に前記冷媒回路中の水分
除去はするが二酸化炭素を吸着しないモレキュラーシーブを収納したことを特徴とするも
のである。
【産業上の利用可能性】
【００４１】
本発明は、二酸化炭素冷媒を使用する冷凍回路を備えた冷凍冷蔵庫に適用して効果ある
ため、種々の形態の冷凍冷蔵庫に適用できるものである。
【図面の簡単な説明】
【００４２】
【図１】本発明冷凍冷蔵庫の正面図である。（実施例１）
【図２】本発明の冷凍冷蔵庫本体を正面から見た説明図である。（実施例１）
【図３】本発明冷凍冷蔵庫の縦断側面図である。（実施例１）
【図４】本発明に係る冷凍装置をブロックで示す構成図である。（実施例１）
【図５】本発明に係る冷凍装置の冷媒回路配管の説明図である。（実施例１）
【符号の説明】
【００４３】
１・・・冷凍冷蔵庫
２・・・冷凍冷蔵庫本体
３・・・冷蔵室
４・・・野菜室
５・・・冷凍室
６・・・製氷室
７・・・自動製氷機
９・・・給水容器
２４・・電動圧縮機
２４Ａ・・一段目の圧縮部
２４Ｂ・・二段目の圧縮部
２５・・放熱器
２５Ａ・・初段放熱器
２５Ｂ・・メイン放熱器
２５Ｃ・・蒸発皿放熱器
２５Ｄ・・壁パイプ
２５Ｅ・・露着き防止放熱器
２９・・第１蒸発器（冷却器）
３０・・第２蒸発器（冷却器）
３１・・第１送風機
３２・・第２送風機
７０・・ドライヤ
７１・・気液分離器
７２・・第１電動式膨張弁
７３・・第２電動式膨張弁
７４・・第３電動式膨張弁
７５・・第１キャピラリチューブ
７６・・第２キャピラリチューブ
７７・・第３キャピラリチューブ
【図１】
2006029643.tif 000003
【図２】
2006029643.tif 000004
【図３】
2006029643.tif 000005
【図４】
2006029643.tif 000006
【図５】
2006029643.tif 000007